(57)【要約】【課題】作業が煩雑になること抑制しつつ、電線が破損することを抑制する技術を開示する。【解決手段】本明細書によって開示される外装部材１０は、充電用コネクタ３０から充電ケーブルＷを外部に引き出すゴムブッシュ５０に組み付けられる外装部材１０であって、ゴムブッシュ５０から引き出された充電ケーブルＷの外周面に沿って設けられ、充電ケーブルＷの曲がりを抑制するケーブル変形抑制部材１１を有しており、ケーブル変形抑制部材１１における前後両端部には、弾性的に拡径変形可能な前側環状部１２および後側環状部１３が配されており、前側環状部１２および後側環状部１３には、自然状態では充電ケーブルＷの外径寸法よりも小さく、前側環状部１２および後側環状部１３が拡径変形することで充電ケーブルＷを径方向に挿入可能な前側上端開口部１２Ａおよび後側上端開口部１３Ａが設けられている構成とした。【選択図】図９
2018005982.tif 000002
【特許請求の範囲】
【請求項１】
筐体から電線が引き出される電線引出部に組み付けられる合成樹脂製の外装部材であって、
前記電線引出部から外部に引き出される前記電線の外周面に沿って設けられ、前記電線の曲がりを抑制する電線変形抑制部材を有しており、
前記電線変形抑制部材における前記電線の延び方向の両端部には、前記電線の外周面を周方向に覆うように環状をなし、弾性的に拡径変形可能に設けられた環状部がそれぞれ配されており、
前記環状部には、自然状態では前記電線の外径寸法よりも小さく、前記環状部が拡径変形することで前記電線を径方向に挿入可能に前記電線の外径寸法よりも大きくなる開口部が設けられている外装部材。
【請求項２】
前記電線変形抑制部材は、一方の前記環状部と他方の前記環状部との間に連なって設けられ、前記電線の外周面を螺旋状に覆うように弾性変形可能な変形抑制部を備えている請求項１に記載の外装部材。
【請求項３】
前記筐体は、車両に搭載されたバッテリ装置を充電するための充電用コネクタのグリップ部分を構成するハウジングであり、
前記電線引出部は、前記ハウジングに装着されたゴム材からなる円筒状のゴムブッシュであり、
前記環状部のうち前記電線引出部側である前側環状部には、前記ゴムブッシュが内部に嵌合可能とされており、
前記前側環状部と前記ゴムブッシュとには、前記前側環状部と前記ゴムブッシュとを嵌合状態に固定する固定部材が設けられている請求項１または請求項２に記載の外装部材。
【請求項４】
前記固定部材は、前記前側環状部の外周面に設けられた突出部と、前記ゴムブッシュとを嵌合状態に固定するように前記電線の延び方向の両側に配される位置決め部を有している請求項３に記載の外装部材。
【発明の詳細な説明】
【技術分野】
【０００１】
本明細書によって開示される技術は、外装部材に関する。
【背景技術】
【０００２】
例えば、電気自動車などの車両に搭載されたバッテリ装置を充電するための充電用コネクタから引き出される電線に装着される略円筒状のゴムブッシュとして、特開２０１２−１９５２１４号公報（下記特許文献１）に記載のものが知られている。
【０００３】
このゴムブッシュは、電線が内部に挿通された状態で充電コネクタを構成する一対のベース側ハウジングによって幅方向両側から挟み付けられることで充電コネクタに保持され、電線がベース側ハウジングに接触するなどして損傷することを防いでいる。
【先行技術文献】
【特許文献】
【０００４】
【特許文献１】特開２０１２−１９５２１４号公報
【発明の概要】
【発明が解決しようとする課題】
【０００５】
ところで、ベース側ハウジングから引き出された電線が小径に曲げられたり、電線が頻繁に曲げられたりする場合、電線に捻れなどが生じることでゴムブッシュに対して応力が集中し、ゴムブッシュが破損する虞がある。仮に、ゴムブッシュが破損してしまうと、電線にも応力が集中し、電線が損傷してしまう。
【０００６】
このため、ゴムブッシュが破損した場合に、ゴムブッシュを交換することも考えられる。しかしながら、電線が取り付けられた後や一対のベース側ハウジングが互いに組み付けられた後においては、電線を円筒状のゴムブッシュに対して挿通させることができないため、ゴムブッシュを交換するには、充電用コネクタを分解するなど、作業が煩雑になってしまう。
【０００７】
本明細書では、作業が煩雑になること抑制しつつ、電線が破損することを抑制する技術を開示する。
【課題を解決するための手段】
【０００８】
本明細書によって開示される技術は、筐体から電線が引き出される電線引出部に組み付けられる合成樹脂製の外装部材であって、前記電線引出部から外部に引き出される前記電線の外周面に沿って設けられ、前記電線の曲がりを抑制する電線変形抑制部材を有しており、前記電線変形抑制部材における前記電線の延び方向の両端部には、前記電線の外周面を周方向に覆うように環状をなし、弾性的に拡径変形可能に設けられた環状部がそれぞれ配されており、前記環状部には、自然状態では前記電線の外径寸法よりも小さく、前記環状部が拡径変形することで前記電線を径方向に挿入可能に前記電線の外径寸法よりも大きくなる開口部が設けられている構成とした。
【０００９】
このような構成の外装部材によると、環状部を拡径変形させて開口部から電線を環状部内に挿入することで電線に対して電線変形抑制部材を容易に後付けすることができ、後付けされた電線変形抑制部材によって電線の曲がりを抑制することができる。これにより、作業が煩雑になること防ぎつつ、電線が小径に曲げられたり、頻繁に曲げられたりする際に、外装部材によって電線を補強し、電線が損傷することを抑制することができる。
【００１０】
本明細書によって開示される外装部材は、以下の構成としてもよい。
前記電線変形抑制部材は、一方の前記環状部と他方の前記環状部との間に連なって設けられ、前記電線の外周面を螺旋状に覆うように弾性変形可能な変形抑制部を備えている構成としてもよい。
【００１１】
このような構成によると、最初に一方の環状部の開口部から電線を一方の環状部内に挿入し、その後、変形抑制部を電線に螺旋状に巻き付けるようにして組み付ける。その後、他方の環状部の開口部から電線を他方の環状部内に挿入することで、変形抑制部によって電線の外周面を螺旋状に覆うように電線変形抑制部材を電線の外周に配置することができる。これにより、外装部材を電線に容易に組み付けることができると共に、外装部材によって電線が補強され、電線が損傷することを抑制することができる。
【００１２】
前記筐体は、車両に搭載されたバッテリ装置を充電するための充電用コネクタのグリップ部分を構成するハウジングであり、前記電線引出部は、前記ハウジングに装着されたゴム材からなる円筒状のゴムブッシュであり、前記環状部のうち前記電線引出部側である前側環状部には、前記ゴムブッシュが内部に嵌合可能とされており、前記前側環状部と前記ゴムブッシュとには、前記前側環状部と前記ゴムブッシュとを嵌合状態に固定する固定部材が設けられている構成としてもよい。
【００１３】
このような構成によると、固定部材によって前側環状部とゴムブッシュとを嵌合状態に固定しているから、外装部材が曲げられたり、引っ張られたりすることで外装部材が電線引出部から外れてしまうことを防ぐことができる。
【００１４】
前記固定部材は、前記前側環状部の外周面に設けられた突出部と、前記ゴムブッシュとを嵌合状態に固定するように前記電線の延び方向の両側に配される位置決め部を有している構成としてもよい。
【００１５】
このような構成によると、位置決め部が、突出部とゴムブッシュとを電線の延び方向の両側において位置決めしているから、外装部材が曲げられたり、引っ張られたりした場合に、外装部材が電線の延び方向にずれてしまうことを確実に防ぐことができる。これにより、電線が意図しない部分において曲がることによって電線が破損することを防ぐことができる。
【発明の効果】
【００１６】
本明細書によって開示される技術によれば、作業が煩雑になること抑制しつつ、電線が破損することを抑制することができる。
【図面の簡単な説明】
【００１７】
【図１】外装部材を充電用コネクタに装着した状態を示す側面図
【図２】ケーブル変形抑制部材の正面図
【図３】同平面図
【図４】同側面図
【図５】同背面図
【図６】右側半割固定部材を内側から視た状態を示す側面図
【図７】左側半割固定部材を内側から視た状態を示す側面図
【図８】一対の半割固定部材を互いに組み付ける前の状態を示す正面図
【図９】ケーブル変形抑制部材およびゴムブッシュに右側半割固定部材を組み付けた状態を示す側面図
【図１０】ケーブル変形抑制部材およびゴムブッシュに一対の半割固定部材を組み付けた状態を示す側面図
【図１１】ゴムブッシュから引き出された充電ケーブルと共にケーブル変形抑制部材を曲げた状態を示す側面図
【発明を実施するための形態】
【００１８】
＜実施形態＞
本明細書に開示された技術における一実施形態について図１から図１１を参照して説明する。
【００１９】
本実施形態は、図１に示すように、電気自動車などの車両に搭載されたバッテリ装置に充電するための充電用コネクタ３０に取り付けられる外装部材１０を例示している。なお、以下の説明において、上下方向とは、図１、図２および図６における上下方向を基準とする。また、前後方向とは、図１、図３および図６における左右方向を基準として、図示左側を前側、図示右側を前側として説明する。
【００２０】
充電用コネクタ３０は、図１に示すように、筒形のガン形状をなし、後側下端部から充電ケーブルＷが外部に引き出される合成樹脂製のハウジング（「筐体」の一例）３１と、ハウジング３１において充電ケーブルＷが引き出される部分に装着されるゴムブッシュ（「電線引出部」の一例）５０とを備えて構成されている。
【００２１】
ハウジング３１は、合成樹脂製であって、半筒形をなす左右一対の半割ハウジング３２を有しており、例えば、一方の半割ハウジング３２に対して他方の半割ハウジング３２を側方から重ね合わせ、複数箇所（本実施形態では４箇所）をねじ３３によってねじ止めすることにより、グリップ部分を構成する筒形のガン形状に組み立てられるようになっている。
【００２２】
ハウジング３１の前端部は、車両に設けられた図示しない車両側コネクタと嵌合可能な嵌合部３４とされている。嵌合部３４には、充電用コネクタ３０を使用しない場合に、ハウジング３１の下端部に取り付けられた保護キャップ３５が前方から取り付けられ、保護キャップ３５によって嵌合部３４が塵埃などから保護されるようになっている。
【００２３】
ハウジング３１の前端部における嵌合部３４の上方には、車両側コネクタと嵌合部３４とを正規の嵌合状態にロックするロックアーム３６が設けられている。
【００２４】
このロックアーム３６は、ハウジング３１の前後方向略中央部における上端部に設けられた操作部３７を下方向に押圧操作することで、上方に揺動変位するようになっている。
【００２５】
ゴムブッシュ５０は、ゴム材からなり、図９に示すように、略円筒状に形成されている。ゴムブッシュ５０は、内部に充電ケーブルＷが挿通され、ゴムブッシュ５０の軸心と充電ケーブルＷの軸心とがほぼ同一となるように充電ケーブルＷに外嵌されている。
【００２６】
また、ゴムブッシュ５０は、ゴムブッシュ５０の前半分が、ハウジング３１の後側下端部３１Ａ内に抜け止めされた状態に嵌合可能とされており、一対の半割ハウジング３２を重ね合わせる際に、ゴムブッシュ５０の前半分を左右方向両側から挟み込むことで、ハウジング３１の後側下端部３１Ａにゴムブッシュ５０が保持されるようになっている。
【００２７】
ゴムブッシュ５０の後半分は、ハウジング３１の後側下端部３１Ａから外部に露出されている。ゴムブッシュ５０の後半分は、後方に向かうほど先細りとなる略円筒状をなし、ゴムブッシュ５０の後面からは、充電ケーブルＷが斜め下後方に引き出されている。したがって、充電ケーブルＷが上下左右に振られた場合に、ゴムブッシュ５０が、充電ケーブルＷがハウジング３１の後側下端部３１Ａに接触することを防ぎ、充電ケーブルＷが損傷することを防ぐことができるようになっている。
【００２８】
外装部材１０は、図９および図１０に示すように、充電ケーブルＷの曲がりを抑制するケーブル変形抑制部材（「電線変形抑制部材」の一例）１１と、充電用コネクタ３０のゴムブッシュ５０にケーブル変形抑制部材１１を固定するための固定部材２０とを備えて構成されている。なお、外装部材１０においては、説明の関係上、充電ケーブルＷの延び方向を前後方向として説明する。また、図７においては、図示右側を前側、図示左側を後側として説明する。
【００２９】
ケーブル変形抑制部材１１は、図２から図５に示すように、充電用コネクタ３０のハウジング３１よりも柔軟性を有する合成樹脂によって充電ケーブルＷの外周面を周方向に沿うように形成されており、前端部において環状に設けられた前側環状部１２と、後端部において環状に設けられた後側環状部１３と、前側環状部１２と後側環状部１３とを前後方向に螺旋状に繋ぐ変形抑制部１４とを備えて構成されている。
【００３０】
前側環状部１２は、充電ケーブルＷの外周面を周方向に覆う略円筒状をなしており、図９に示すように、前側環状部１２内には、充電用コネクタ３０のゴムブッシュ５０の後端部が前方から嵌合可能とされている。
【００３１】
前側環状部１２の上端部には、図２および図３に示すように、前側環状部１２を周方向に分断する前側上端開口部１２Ａがやや右方向に開口して設けられており、前側上端開口部１２Ａを周方向に広げることで前側環状部１２は拡径変形可能となっている。
【００３２】
前側上端開口部１２Ａの左右方向の幅寸法は、前側環状部１２が自然状態の場合には、充電ケーブルＷの外径寸法よりもやや小さくなっており、前側環状部１２が弾性的に拡径変形することで、充電ケーブルＷの外径よりも大きくなるように設定されている。したがって、前側環状部１２は、拡径変形することで、充電ケーブルＷを前側環状部１２内に前側上端開口部１２Ａを通して挿入することができるようになっている。
【００３３】
また、前側環状部１２の前端外周面には、径方向外側に向けて突出する複数の突出片（「突出部」の一例）１２Ｂが設けられている。複数の突出片１２Ｂは、前側上端開口部１２Ａの一方の端部から他方の端部まで、前側環状部１２の前端外周面に全周に亘ってほぼ等間隔に形成されている。
【００３４】
後側環状部１３は、図３から図５に示すように、充電ケーブルＷの外周面を周方向に覆うようにして充電ケーブルＷの外径寸法とほぼ同じ内径の略円筒状に形成されており、後側環状部１３の上端から左側端部の間には、後側環状部１３を周方向に分断する後側上端開口部１３Ａが左斜め上方に開口して設けられている。後側環状部１３は、前側環状部１２と同様に、後側上端開口部１３Ａを周方向に広げることで弾性的に拡径変形するようになっており、後側環状部１３が自然状態の場合、後側上端開口部１３Ａは、充電ケーブルＷの外径寸法よりもやや小さくなっている。そして、後側環状部１３が拡径変形すると、後側上端開口部１３Ａは、充電ケーブルＷの外径寸法よりも大きくなるように設定されている。
【００３５】
したがって、後側環状部１３は、拡径変形することで、前側環状部１２と同様に、充電ケーブルＷを後側環状部１３内に後側上端開口部１３Ａを通して挿入することができるようになっており、後側環状部１３内に充電ケーブルＷが挿入されると、後側環状部１３内に充電ケーブルＷが適合して嵌合されるようになっている。
【００３６】
変形抑制部１４は、前側環状部１２の後端縁および後側環状部１３の前端縁に連設されており、径方向外側の端部を１頂点とする断面略三角形状の弾性変形可能な線形部１５によって形成されている。
【００３７】
線形部１５は、前側環状部１２の後端縁から後側環状部１３の前端縁まで後方に向かうほど徐々に小径となる右巻きの螺旋状に形成されており、前後に隣り合う線形部１５間の隙間寸法は、線形部１５の前後方向の幅寸法とほぼ同じ寸法に設定されている。
【００３８】
したがって、変形抑制部１４は、前側環状部１２および後側環状部１３内に充電ケーブルＷを挿入すると共に、線形部１５を充電ケーブルＷに対して巻き付けることで、図９および図１０に示すように、ゴムブッシュ５０から後方に引き出された充電ケーブルＷを変形抑制部１４の軸心に配置することができる。
【００３９】
これにより、充電ケーブルＷを前側環状部１２および後側環状部１３内に挿入すると共に、充電ケーブルＷを変形抑制部１４内に挿入することで、充電ケーブルＷをケーブル変形抑制部材１１によって直線状に支持することができる。
【００４０】
そして、例えば、充電ケーブルＷが引っ張られるなどして曲げられる場合には、図１１に示すように、変形抑制部１４において前後に隣り合う線形部１５の内周縁部１５Ａ同士が当接し、ゴムブッシュ５０から引き出された充電ケーブルＷが小径に曲げられることを抑制することができるようになっている。
【００４１】
なお、ケーブル変形抑制部材１１における変形抑制部１４の左右方向両端部１４Ａは、図３および図４に示すように、変形抑制部１４の上端部や下端部のように変形抑制部１４の軸心αに対して傾斜した形態となっておらず、変形抑制部１４の軸心αに対して上下方向に直交する構成となっている。つまり、ケーブル変形抑制部材１１の変形抑制部１４は、螺旋状に形成されているものの、上下方向に型開きする図示しない成形金型によって容易に成形することができるようになっている。
【００４２】
一方、固定部材２０は、図６から図８に示すように、個別に設けられた半筒形をなす左右一対の半割固定部材２１を有しており、一対の半割固定部材２１のうち、右側に配される右側半割固定部材２１Ｒに対して左側に配される左側半割固定部材２１Ｌを左方から重ね合わせ、図１に示すように、複数箇所（本実施形態では２箇所）を固定ねじＢによってねじ止めすることにより、略円筒状に組み立てられるようになっている。
【００４３】
一対の半割固定部材２１において互いに突き合わせる一方の突き合わせ面２２（本実施形態では、右側半割固定部材２１Ｒの突き合わせ面２２）には、図６および図９に示すように、固定ねじＢによってねじ止めする部分の前後両側に複数（本実施形態では２つ）の位置決め孔２２Ａが設けられ、他方の突き合わせ面２２（本実施形態では、左側半割固定部材２１Ｌの突き合わせ面２２）には、図７および図８に示すように、位置決め孔２２Ａにそれぞれ嵌合可能な複数（本実施形態では２つ）の位置決めピン２２Ｂが設けられている。各位置決め孔２２Ａと各位置決めピン２２Ｂとは、一対の半割固定部材２１を互いに組み付ける際に、凹凸嵌合させることで、突き合わせ面２２同士が位置ずれすることを防ぐようになっている。
【００４４】
固定部材２０の内部には、図９に示すように、前から順番に、ハウジング３１における後側下端部３１Ａが適合して嵌合される前側嵌合部２３、ゴムブッシュ５０が適合して嵌合される中央嵌合部２４、ケーブル変形抑制部材１１における前側環状部１２が適合して嵌合される後側嵌合部２５が設けられており、右側半割固定部材２１Ｒに各部材３１Ａ，５０，１２の右側半分が嵌合され、左側半割固定部材２１Ｌに各部材３１Ａ，５０，１２の左側半分が嵌合されるようになっている。
【００４５】
各半割固定部材２１における前側嵌合部２３と中央嵌合部２４との間の内周面には、図６、図７および図９に示すように、径方向内側に向かって張り出す位置決め片２６が周方向に連続した形態で周設されており、この位置決め片２６は、前側嵌合部２３内にハウジング３１の後側下端部３１Ａが嵌合され、中央嵌合部２４内にゴムブッシュ５０が嵌合された際に、ハウジング３１とゴムブッシュ５０との間の隙間に嵌まり込むようになっている。したがって、固定部材２０が組み立てられると、固定部材２０内において位置決め片２６が全周に亘って構成され、ハウジング３１およびゴムブッシュ５０に対して固定部材２０を前後方向に位置決めすることができるようなっている。
【００４６】
後側嵌合部２５は、図６、図７および図９に示すように、前半分が後半分に比べて拡径された突出片収容部２５Ａとされている。突出片収容部２５Ａは、各半割固定部材２１の内面に半周に亘って周設されており、突出片収容部２５Ａに前側環状部１２の突出片１２Ｂが収容されると、突出片１２Ｂの後面と突出片収容部２５Ａの後側内面２５Ｂとが係止することで、内部にゴムブッシュ５０が嵌合した前側環状部１２を固定部材２０に対して前後方向に位置決めする。
【００４７】
したがって、図９に示すように、右側半割固定部材２１Ｒに対して、各部材３１Ａ，５０，１２の右側半分を嵌合させた後、図１０に示すように、左側半割固定部材２１Ｌを組み付け、固定ねじＢによってねじ止めすることにより、充電用コネクタ３０の後側下端部に外装部材１０を位置決めした状態で固定することができるようになっている。
【００４８】
本実施形態は、以上のような構成であって、続いて、充電用コネクタ３０に対する外装部材１０の組み付け手順を簡単に説明すると共に、その作用および効果について説明する。
【００４９】
充電用コネクタ３０に対して外装部材１０を組み付けるには、まず、充電用コネクタ３０のゴムブッシュ５０から引き出された充電ケーブルＷに対してケーブル変形抑制部材１１を組み付ける。
【００５０】
ここで、仮に、円筒状のケーブル変形抑制部材に開口部が設けられていない場合には、充電ケーブルに対してケーブル変形抑制部材を側方から組み付けることができない。したがって、このような場合には、充電用コネクタを分解して、充電用コネクタから充電ケーブルを取り外し、充電ケーブルをケーブル変形抑制部材に軸方向に挿通させる必要がある。
【００５１】
ところが、本実施形態の外装部材１０によると、ケーブル変形抑制部材１１の前側環状部１２には前側上端開口部１２Ａが設けられ、後側環状部１３には後側上端開口部１３Ａが設けられ、変形抑制部１４は、螺旋状に形成されている。
【００５２】
したがって、まず、前側環状部１２を拡径変形させて前側上端開口部１２Ａを通して前側環状部１２内に充電ケーブルＷを挿入する。次に、変形抑制部１４の線形部１５を充電ケーブルＷに巻き付けるようにして変形抑制部１４内に充電ケーブルＷを挿通した状態に配し、最後に後側環状部１３を拡径変形させて充電ケーブルＷを、後側上端開口部１３Ａを通して後側環状部１３内に挿入することで、充電ケーブルＷに対してケーブル変形抑制部材１１を組み付けることができる。すなわち、本実施形態によると、充電ケーブルＷに対してケーブル変形抑制部材１１を側方から組み付けることができるようになっている。
【００５３】
次に、前側環状部１２内にゴムブッシュ５０の後端部を挿入するようにして前側環状部１２とゴムブッシュ５０とを前後方向に嵌合させ、前側環状部１２およびゴムブッシュ５０に対して固定部材２０を組み付ける。
【００５４】
固定部材２０の組み付け過程では、例えば、まず、右側半割固定部材２１Ｒにおいて、ハウジング３１とゴムブッシュ５０との間の隙間に位置決め片２６が嵌まり込むように前側嵌合部２３内にハウジング３１の後側下端部３１Ａを嵌合させると共に、中央嵌合部２４内にゴムブッシュ５０を嵌合させる。また、このとき、前側環状部１２の内部にゴムブッシュ５０を嵌合させた状態で、前側環状部１２の突出片１２Ｂを突出片収容部２５Ａ内に収容するようにして前側環状部１２を後側嵌合部２５内に嵌合させる。
【００５５】
これにより、図９に示すように、ハウジング３１およびゴムブッシュ５０に対して固定部材２０を前後方向に位置決めすることができる共に、固定部材２０に対して前側環状部１２が前後方向に位置決めすることができる。
【００５６】
そして、最後に、図１０に示すように、右側半割固定部材２１Ｒに対して左側半割固定部材２１Ｌを組み付け、図１に示すように、固定ねじＢによってねじ止めする。これにより、外装部材１０が充電用コネクタ３０に保持され、充電用コネクタ３０の後側下端部３１Ａに外装部材１０を前後方向に位置決めした状態に固定することができる。
【００５７】
以上のように、本実施形態によると、ケーブル変形抑制部材１１の前側環状部１２と後側環状部１３とに上端開口部１２Ａ，１３Ａを設けると共に、変形抑制部１４を螺旋状に形成することで、充電用コネクタ３０が完成した後であっても、外装部材１０を取り付けることができる。すなわち、外装部材１０を充電用コネクタ３０に対して予め取り付けてゴムブッシュ５０を補強することができることはもちろん、ゴムブッシュ５０が破損した場合においても、外装部材１０を後付けすることで、充電用コネクタ３０から充電ケーブルＷが引き出された部分を補強し、充電ケーブルＷが破損することを抑制することができる。これにより、作業が煩雑になること抑制しつつ、充電ケーブルＷが破損することを抑制することができる。
【００５８】
また、充電用コネクタ３０に対して外装部材１０が装着されることで、充電ケーブルＷが曲げられる場合に、充電ケーブルＷが小径に曲げられることを抑制し、電線が損傷することをさらに抑制することができる。
【００５９】
また、本実施形態によると、固定部材２０の位置決め片２６と、突出片収容部２５Ａの後側内面２５Ｂとによって、ゴムブッシュ５０とケーブル変形抑制部材１１の前側環状部１２とを嵌合状態のまま前後方向両側から係止しているから、外装部材１０が後方に引っ張られたり、充電ケーブルＷが曲げられたりした際に外装部材１０が前後方向に位置ずれすることを確実に防ぐことができる。これにより、外装部材１０が位置ずれすることに起因して、充電ケーブルＷが意図しない部分において曲がって破損してしまうことを防ぐことができる。
【００６０】
＜他の実施形態＞
本明細書で開示される技術は上記記述及び図面によって説明した実施形態に限定されるものではなく、例えば次のような種々の態様も含まれる。
【００６１】
（１）上記実施形態では、ケーブル変形抑制部材１１の変形抑制部１４を右巻きの螺旋状に構成した。しかしながら、これに限らず、変形抑制部を左巻きの螺旋状に構成してもよい。
【００６２】
（２）上記実施形態では、変形抑制部１４の線形部１５を断面略三角形状に構成した。しかしながら、これに限らず、線形部を断面略矩形状や断面略円形状に構成してもよい。
【００６３】
（３）上記実施形態では、固定部材２０を一対の半割固定部材２１をそれぞれ個別に設けた構成にした。しかしながら、これに限らず、一対の半割固定部材をヒンジなどによって連結した構成にしてもよい。
【００６４】
（４）上記実施形態では、一対の半割固定部材２１の突き合わせ面２２のうち、一方の半割固定部材２１（右側半割固定部材２１Ｒ）の突き合わせ面２２に位置決め孔２２Ａを設け、他方の半割固定部材２１（左側半割固定部材２１Ｌ）の突き合わせ面２２に位置決めピン２２Ｂを設けた構成にした。しかしながら、これに限らず、一方の半割固定部材の突き合わせ面に位置決め孔と位置決めピンを設け、他方の半割固定部材の突き合わせ面にこれとそれぞれ嵌合可能な位置決めピンと位置決め孔を設けた構成にしてもよい。
【符号の説明】
【００６５】
１０：外装部材
１１：ケーブル変形抑制部材（「電線変形抑制部材」の一例）
１２：前側環状部（「環状部」の一例）
１２Ｂ：突出片（「突出部」の一例）
１３：後側環状部（「環状部」の一例）
１４：変形抑制部
２０：固定部材
２５Ｂ：突出片収容部の後側内面（「位置決め部」の一例）
２６：位置決め片（「位置決め部」の一例）
３０：充電用コネクタ
３１：ハウジング（「筐体」の一例）
５０：ゴムブッシュ（「電線引出部」の一例）
Ｗ：充電ケーブル（「電線」の一例）
【図１】
2018005982.tif 000003
【図２】
2018005982.tif 000004
【図３】
2018005982.tif 000005
【図４】
2018005982.tif 000006
【図５】
2018005982.tif 000007
【図６】
2018005982.tif 000008
【図７】
2018005982.tif 000009
【図８】
2018005982.tif 000010
【図９】
2018005982.tif 000011
【図１０】
2018005982.tif 000012
【図１１】
2018005982.tif 000013